(57)【要約】【課題】  遊技機に電源を供給する機能を遊技機搬送機構が備えていなくても、搬送中の遊技機に対して電源を常時供給することができる電源供給器を提供すること。【解決手段】  電源供給器５１は、電源供給器本体６３、移動ローラ５４、電源供給器側電極５３及び電源コンセント５２を備えている。移動ローラ５４は電源供給器本体６３に設けられており、パチンコ機の搬送時に動作可能となる。電源供給器側電極５３は電源供給用レール側電極９２に接触可能となっている。電源コンセント５２は電源供給器側電極５３に電気的に接続されており、パチンコ機の電源プラグが差し込み可能となる。電源供給器５１は、移動ローラ５４が動作することにより、パチンコ機に追従して電源供給器用往路８１を移動する。【選択図】  図２
2006055203.tif 000002
【特許請求の範囲】
【請求項１】
遊技機を保持して搬送開始位置から搬送終了位置まで搬送する遊技機搬送機構と、前記搬送開始位置から前記搬送終了位置までの間の少なくとも検査位置にある遊技機に電源を供給する搬送装置側電極とを備えた遊技機用搬送装置に用いられる電源供給器であって、
電源供給器本体と、
前記電源供給器本体に設けられるとともに、前記遊技機の搬送時に動作可能な移動手段と、
前記搬送装置側電極に接触可能な電源供給器側電極と、
前記電源供給器側電極に電気的に接続され、前記遊技機の電源プラグを差し込み可能な電源コンセントと
を備え、
前記移動手段が動作することにより、前記遊技機に追従して前記遊技機搬送機構とは別の経路を移動する
ことを特徴とする電源供給器。
【請求項２】
前記電源供給器は、前記電源コンセントに前記電源プラグを差し込んで前記遊技機と連結した状態で引っ張られることにより、前記遊技機に追従して移動することを特徴とする請求項１に記載の電源供給器。
【請求項３】
前記電源供給器は、
前記電源供給器を前記搬送開始位置に移動させる電源供給器搬送手段により支持される被支持部を備えるとともに、
追従していた前記遊技機が前記搬送終了位置に至った後に、前記電源供給器側電極と前記搬送装置側電極とが接触不能な状態となりかつ前記被支持部が支持された状態となる
ことを特徴とする請求項１または２に記載の電源供給器。
【請求項４】
前記電源供給器は、
前記移動手段とは異なる第２の移動手段を備えるとともに、
追従していた前記遊技機が前記搬送終了位置に至った後に、前記電源供給器側電極と前記搬送装置側電極とが接触不能な状態となりかつ前記第２の移動手段が動作することで、前記搬送開始位置に移動する
ことを特徴とする請求項１または２に記載の電源供給器。
【請求項５】
前記電源供給器本体の移動方向における前部及び後部の少なくとも一方に、衝突時の衝撃を和らげる緩衝部材を配置したことを特徴とする請求項１乃至４のいずれか１項に記載の電源供給器。
【請求項６】
前記電源コンセントは、伸縮固定自在なコード部材により前記電源供給器本体に接続されていることを特徴とする請求項１乃至５のいずれか１項に記載の電源供給器。
【請求項７】
遊技盤を保持して搬送開始位置から搬送終了位置まで搬送する遊技盤搬送機構と、前記搬送開始位置から前記搬送終了位置までの間の少なくとも検査位置にある遊技盤に電源を供給する搬送装置側電極とを備えた遊技盤用搬送装置に用いられる電源供給器であって、
電源供給器本体と、
前記電源供給器本体に設けられるとともに、前記遊技盤の搬送時に動作可能な移動手段と、
前記搬送装置側電極に接触可能な電源供給器側電極と、
前記電源供給器側電極に電気的に接続され、前記遊技盤の電源プラグを差し込み可能な電源コンセントと
を備え、
前記移動手段が動作することにより、前記遊技盤に追従して前記遊技盤搬送機構とは別の経路を移動する
ことを特徴とする電源供給器。
【発明の詳細な説明】
【技術分野】
【０００１】
本発明は、パチンコ機などに代表される遊技機を検査する際などに用いられる、遊技機に電源を供給するための電源供給器に関するものである。
【背景技術】
【０００２】
パチンコ遊技機（遊技機）の製造工場では、遊技機を構成する各種部材の組み付けを製造ラインごとに行うことにより、遊技機が製造されるようになっている。製造途中の遊技機に対しては、製品として出荷される前に正常に動作するか否かの最終チェックが行われ、最終チェックに合格した遊技機のみが出荷されることになる。この最終チェックでは、電源を供給するための外部電源を遊技機に接続することで、ランプの点灯確認や各種スイッチの検出確認などの様々な動作確認が行われる。なお、これらの動作確認を、遊技機が搬送される流れ作業の中で常時電源を供給しながら行うことが、作業効率の面から好ましいとされている。
【０００３】
従来、遊技機の搬送中に電源を供給しながら動作確認をすることが可能な技術としては、例えば特許文献１に記載された技術が提案されている。この技術においては、複数の陽極端子を一直線上に配置したベースフレームと、複数の陰極端子を一直線上に配置したベースフレームとが互いに平行に配置されている。そして、これらのベースフレーム上には、遊技機を支持する複数の製造作業台が移動可能に設けられている。製造作業台は、基本的に基台、回転台及び支持フレームを備えており、基台の裏側には、陽極接触板及び陰極接触板が互いに平行に設けられている。そして、陽極接触板は陽極端子に接触可能となっており、陰極接触板は陰極端子に接触可能となっている。また、支持フレームには電源コンセントが設けられており、電源コンセントは、電源コードなどを介して陽極接触板及び陰極接触板に電気的に接続されている。即ち、製造作業台は、遊技機を搬送する遊技機搬送機構の一部を構成するとともに、遊技機に電源を供給する電源供給器としての機能も兼ねている。よって、遊技機の電源コンセントを支持フレームの電源コンセントに差し込むことで、遊技機を搬送しながら遊技機に常時電源を供給させることが可能になる。
【特許文献１】特開２００３−１０４１５号公報
【発明の開示】
【発明が解決しようとする課題】
【０００４】
しかし、この種の製造作業台は遊技機を安定的に支持する必要があるため、一般には剛性のある金属などの部材によって形成されている。それゆえ、前記製造作業台は、大型でありかなり重量があるため、取り扱いが面倒である。
【０００５】
また、製造作業台は遊技機よりも下側に位置するため、検査に際して作業者が工具や遊技球などを落とした場合に、製造作業台を傷付けてしまう可能性がある。
【０００６】
これらの問題を解決するためには、例えば、製造作業台自体をなくし、従来公知のベルトコンベアに遊技機を載置して搬送すればよいと考えられる。しかし、遊技機に電源を供給する機能を備えた製造作業台を仮になくしてしまうと、遊技機への電源の供給ができなくなってしまう。
【０００７】
本発明は上記の課題に鑑みてなされたものであり、その目的は、遊技機に電源を供給する機能を遊技機搬送機構が備えていなくても、搬送中の遊技機に対して電源を常時供給することができる電源供給器を提供することにある。
【課題を解決するための手段】
【０００８】
上記の課題を解決するために、請求項１に記載の発明は、遊技機を保持して搬送開始位置から搬送終了位置まで搬送する遊技機搬送機構と、前記搬送開始位置から前記搬送終了位置までの間の少なくとも検査位置にある遊技機に電源を供給する搬送装置側電極とを備えた遊技機用搬送装置に用いられる電源供給器であって、電源供給器本体と、前記電源供給器本体に設けられるとともに、前記遊技機の搬送時に動作可能な移動手段と、前記搬送装置側電極に接触可能な電源供給器側電極と、前記電源供給器側電極に電気的に接続され、前記遊技機の電源プラグを差し込み可能な電源コンセントとを備え、前記移動手段が動作することにより、前記遊技機に追従して前記遊技機搬送機構とは別の経路を移動することを特徴とする電源供給器をその要旨とする。
【０００９】
従って、請求項１に記載の発明によると、電源供給器の電源コンセントが遊技機の電源プラグと接続され、この状態で移動手段が動作することにより、電源供給器が遊技機に追従して移動する。このため、遊技機に電源を供給する機能を遊技機搬送機構が備えていなくても、少なくとも検査位置にある遊技機に対して電源の供給が常時可能となる。
【００１０】
また、本発明の電源供給器は、遊技機搬送機構とは別の経路を移動するものであって、製造作業台としての用途を元来意図している訳ではない。しかも、電源供給器は、移動手段、電源供給器側電極、電源コンセントといった構成を備える一方で、遊技機を搭載するための構成を必ずしも必要としない。そのため、製造作業台が電源供給器の機構を兼ね備えた特許文献１に記載の従来技術と比較して構成が単純になるため、電源供給器を小型かつ軽量にすることができる。ゆえに、電源供給器の取り扱い（保管や移動など）が非常に簡便となる。
【００１１】
さらに、電源供給器内電源（バッテリなど）を設置する空間を電源供給器内に設けなくても済む。その結果、電源供給器内電源の配置を考慮しながら設計を行う必要がなくなるため、電源供給器を容易に製造することができ、電源供給器の低コスト化を図ることができる。しかも、電源供給器自身の内部に電源を備えていると、途中で電源が切れてしまい、メインテナンス（電源供給器内電源の交換）が必要になることがあるが、この発明によれば、これらの問題も解消される。
【００１２】
ここで、遊技機搬送機構としては、例えば遊技機を水平方向に搬送する場合において、遊技機を一つの直線に沿って同じ方向に搬送するものが挙げられるが、途中で折れ曲がる線に沿って遊技機を搬送するものであってもよいし、一つの曲線に沿って遊技機を搬送するものであってもよい。また、遊技機搬送機構は、搬送方向に沿って設けられている複数のローラが遊技機の外枠の上下面に接触した状態で遊技機を自走させる構成であることが好ましく、例えば特許文献１に示される製造作業台のような構成を特に必要としないものであることが好ましい。
【００１３】
搬送装置側電極としては、搬送開始位置から搬送終了位置まで延びる長尺の電極や、搬送開始位置から搬送終了位置に亘って所定間隔ごとに配置される複数の電極などが挙げられるが、長尺の電極であることが好ましい。このようにすれば、検査位置がどこであるかを特に意識しなくても、搬送装置側電極を配置することができる。なお、搬送装置側電極は、搬送開始位置から搬送終了位置までの全体に亘って配置されていてもよいが、検査位置に対応する箇所のみに配置されていてもよい。このようにすれば、検査位置に対応しない箇所に配置される搬送装置側電極を省略できるため、遊技機用搬送装置の製作コストを削減できる。
【００１４】
また、電源供給器側電極としては、電源供給器の電源供給器本体から出没可能に設けられ、前記電源供給器本体内に設けられた弾性部材により前記搬送装置側電極側に付勢されるものであることが好ましい。このようにすれば、電源供給器側電極を搬送装置側電極に確実に接触させることができる。さらに、前記電源供給器側電極は前記電源供給器本体に複数設けられることが好ましく、前記各電源供給器側電極は前記電源供給器本体の移動方向に沿って離間配置されることが好ましい。しかも、各電源供給器側電極は、電源供給器本体の中心寄り位置よりも電源供給器本体の端部寄り位置に配置されることがより好ましい。このようにすれば、遊技機の移動時に電源供給器が引っ張られて傾いたとしても、電源供給器側電極を搬送装置側電極に確実に接触させることができる。
【００１５】
さらに、前記電源供給器側電極が電源供給器本体の上側に配置され、前記電源コンセントが前記電源供給器本体の下側に配置されることが好ましい。このようにすれば、電源コンセントと電源供給器側電極との接触を防止できる。
【００１６】
電源供給器が、前記移動手段が動作することにより、前記遊技機に追従して移動する態様としては、前記電源コンセントに前記電源プラグを差し込んで前記遊技機と連結した状態で引っ張られることにより、前記遊技機に追従して移動すること（請求項２）や、移動手段が駆動しながら追従（即ち自走）することなどが挙げられる。
【００１７】
ここで、移動手段としては特に限定されず任意のものを使用できるが、ローラやボールなどを用いることが好ましい。このようにすれば、電源供給器が遊技機を追従する際に、移動手段が滑動することから、摩擦が少なくなるため、移動手段がよりいっそう磨耗しにくくなる。ゆえに、頻繁なメインテナンスが不要となり、電源供給器のランニングコストの低減を図ることができる。また、前記移動手段は、電源供給器本体に形成されたローラ支持部に対して回転可能に取り付けられた複数の移動ローラであり、前記各移動ローラは、前記電源供給器本体の前後左右に離間して配置されることが好ましい。このようにすれば、電源供給器が安定するため、電源供給器が引っ張られたときに傾きにくくなる。さらに、前記移動手段は、前記搬送装置側電極よりも下方位置に設けられることが好ましい。このようにすれば、移動手段が磨耗することにより生じる塵埃が、搬送装置側電極に落下することがない。
【００１８】
請求項２に記載の発明は、請求項１において、前記電源供給器は、前記電源コンセントに前記電源プラグを差し込んで前記遊技機と連結した状態で引っ張られることで追従移動することにより、前記遊技機に追従して移動することをその要旨とする。
【００１９】
従って、請求項２に記載の発明によると、電源供給器が遊技機に引っ張られることから、電源供給器を駆動させる動力が不要となる。このため、動力源を設置する空間を電源供給器内に設けなくても済むため、電源供給器のさらなる小型化、軽量化を図ることができる。また、動力源の配置を考慮しながら設計を行う必要がなくなるため、電源供給器を容易に製造することができ、電源供給器の低コスト化を図ることができる。
【００２０】
請求項３に記載の発明は、請求項１または２において、前記電源供給器は、前記電源供給器を前記搬送開始位置に移動させる電源供給器搬送手段により支持される被支持部を備えるとともに、追従していた前記遊技機が前記搬送終了位置に至った後に、前記電源供給器側電極と前記搬送装置側電極とが接触不能な状態となりかつ前記被支持部が支持された状態となることをその要旨とする。
【００２１】
従って、請求項３に記載の発明によると、電源供給器は、電源供給器側電極が搬送装置側電極に接触した状態で移動手段が動作することにより搬送開始位置に移動するのではなく、電源供給器側電極が搬送装置側電極に接触不能な状態で被支持部が電源供給器搬送手段によって支持されることにより搬送開始位置に移動する。このため、搬送開始位置への移動時において、電源供給器側電極、搬送装置側電極及び移動手段が磨耗することはない。ゆえに、頻繁なメインテナンスが不要となり、電源供給器のランニングコストの低減を図ることができる。
【００２２】
なお、被支持部としては、電源供給器が移動する際に電源供給器搬送手段によって支持される被支持板などが挙げられる。例えば、電源供給器が搬送開始位置に移動する経路上に、モータなどのアクチュエータにより駆動される駆動手段が配置されている場合、被支持板が駆動手段に支持され、電源供給器に駆動力が付与される。この場合、電源供給部の構成としては板状部材が追加されるのみであるため、電源供給部の大型化や重量増加は極く僅かとなる。
【００２３】
請求項４に記載の発明は、請求項１または２において、前記電源供給器は、前記移動手段とは異なる第２の移動手段を備えるとともに、追従していた前記遊技機が前記搬送終了位置に至った後に、前記電源供給器側電極と前記搬送装置側電極とが接触不能な状態となりかつ前記第２の移動手段が動作することで、前記搬送開始位置に移動することをその要旨とする。
【００２４】
従って、請求項４に記載の発明によると、電源供給器は、電源供給器側電極が搬送装置側電極に接触した状態で移動手段が動作することにより搬送開始位置に移動するのではなく、電源供給器側電極が搬送装置側電極に接触不能な状態で第２の移動手段が動作することにより搬送開始位置に移動する。このため、搬送開始位置への移動時において、電源供給器側電極、搬送装置側電極及び移動手段が磨耗することはない。ゆえに、頻繁なメインテナンスが不要となり、電源供給器のランニングコストの低減を図ることができる。
【００２５】
ここで、第２の移動手段としては特に限定されず任意のものを使用できるが、ローラやボールなどを用いることが好ましい。このようにすれば、電源供給器が搬送開始位置に移動する際に、移動手段が滑動することから、摩擦が少なくなるため、第２の移動手段がよりいっそう磨耗しにくくなる。ゆえに、頻繁なメインテナンスが不要となり、電源供給器のランニングコストの低減を図ることができる。
【００２６】
請求項５に記載の発明は、請求項１乃至４のいずれか１項において、前記電源供給器本体の移動方向における前部及び後部の少なくとも一方に、衝突時の衝撃を和らげる緩衝部材を配置したことをその要旨とする。
【００２７】
従って、請求項５に記載の発明によると、別の電源供給器との衝突による電源供給器の破損を緩衝部材によって防止することができる。
【００２８】
なお、緩衝部材としては、ゴムなどの弾性部材や、空気バネなどが挙げられる。
【００２９】
請求項６に記載の発明は、請求項１乃至５のいずれか１項において、前記電源コンセントは、伸縮固定自在なコード部材により前記電源供給器本体に接続されていることをその要旨とする。
【００３０】
従って、請求項６に記載の発明によると、遊技機の電源プラグの位置、遊技機から延びる電源コードの長さ、遊技機と電源供給器との位置関係などを考慮して、電源供給器のコード部材の長さを調整して固定することができる。これにより、電源コンセントを最適な位置に配置することができる。よって、例えば、遊技機と電源供給器とが互いに離れていたり、遊技機の種類によって電源コードの長さが異なっていたりしても、電源コンセントに電源プラグを差し込んで電源供給器と遊技機とを連結することが容易になる。ゆえに、コード部材が長すぎることにより、電源供給器が遊技機に追従するまでに時間が掛かってしまうことはない。また、コード部材の余剰部分が遊技機搬送機構に引っ掛かるなどして邪魔になることはない。
【００３１】
なお、コード部材を伸縮固定自在にする具体例としては、コード部材が巻回され、そのコード部材の引き出しや巻き取りを行った後に所定長さで固定することが可能なコードリールを用いた構成などが挙げられる。
【００３２】
請求項７に記載の発明は、遊技盤を保持して搬送開始位置から搬送終了位置まで搬送する遊技盤搬送機構と、前記搬送開始位置から前記搬送終了位置までの間の少なくとも検査位置にある遊技盤に電源を供給する搬送装置側電極とを備えた遊技盤用搬送装置に用いられる電源供給器であって、電源供給器本体と、前記電源供給器本体に設けられるとともに、前記遊技盤の搬送時に動作可能な移動手段と、前記搬送装置側電極に接触可能な電源供給器側電極と、前記電源供給器側電極に電気的に接続され、前記遊技盤の電源プラグを差し込み可能な電源コンセントとを備え、前記移動手段が動作することにより、前記遊技盤に追従して前記遊技盤搬送機構とは別の経路を移動することを特徴とする電源供給器をその要旨とする。
【００３３】
従って、請求項７に記載の発明によると、電源供給器の電源コンセントが遊技盤の電源プラグと接続され、この状態で移動手段が動作することにより、電源供給器が遊技盤に追従して移動する。このため、少なくとも検査位置にある遊技盤に対して電源の供給が常時可能となる。
【００３４】
また、本発明の電源供給器は、遊技盤搬送機構とは別の経路を移動するものであって、遊技盤を搬送する製造作業台としての用途を元来意図している訳ではない。しかも、電源供給器は、移動手段、電源供給器側電極、電源コンセントといった構成を備える一方で、遊技盤を搭載するための構成を必ずしも必要としない。そのため、製造作業台が電源供給器の機構を兼ね備えた構成と比較して構成が単純になるため、電源供給器を小型かつ軽量にすることができる。ゆえに、電源供給器の取り扱い（保管や移動など）が非常に簡便となる。
【００３５】
さらに、電源を設置する空間を電源供給器内に設けなくても済むため、電源供給器を容易に製造することができ、電源供給器の低コスト化を図ることができる。しかも、電源供給器自身の内部に電源を備えていると、大きな電源を与えることが困難になるし、途中で電源が切れることもありうるが、この発明によれば、これらの問題も解消される。
【発明の効果】
【００３６】
以上詳述したように、請求項１〜７に記載の発明によれば、遊技機に電源を供給する機能を遊技機搬送機構が備えていなくても、搬送中の遊技機または遊技盤に対して電源を常時供給することができる。しかも、電源供給器を小型かつ軽量にすることができる。
【００３７】
特に、請求項３，４に記載の発明によれば、搬送開始位置側への移動時において、電源供給器側電極、搬送装置側電極及び移動手段が磨耗することはない。ゆえに、頻繁なメインテナンスが不要となり、電源供給器のランニングコストの低減を図ることができる。
【発明を実施するための最良の形態】
【００３８】
以下、本発明をパチンコ遊技機（以下、「パチンコ機」という）の機能検査を行う際に用いられる遊技機検査装置に具体化した一実施形態を図１〜図６に基づき説明する。
【００３９】
図１に示されるように、遊技機用搬送装置（以下、「遊技機検査装置３１」という）では、パチンコ機１０を搭載した状態で、同パチンコ機１０に対する機能検査が行われるようになっている。遊技機検査装置３１は、矢印Ｆ１方向（即ち搬送方向）にパチンコ機１０を保持して搬送する遊技機搬送機構３２を備えている。遊技機搬送機構３２は、パチンコ機１０を搬送開始位置（図１において遊技機搬送機構３２の右端）から搬送終了位置（図１において遊技機搬送機構３２の左端）まで搬送するようになっている。そして、パチンコ機１０を水平方向に搬送する過程では、パチンコ機１０に対する機能検査が行われる。なお、この機能検査では、例えば、パチンコ機１０の電源を投入した状態で作業者が入賞口に遊技球を入賞させたときに、正常に遊技球の払い出しが行われるか否かが検査される。また、ランプが正常に発光しているか否かなども検査される。
【００４０】
また、図１に示されるように、遊技機搬送機構３２は、搬送開始位置から搬送終了位置まで延びるベースフレーム３４を備えている。このベースフレーム３４の高さは、遊技機搬送機構３２に搭載されたパチンコ機１０が作業者の腰から胸の間に位置するような高さに設定されている。ベースフレーム３４上には、コンベア支持部４４ｂによって支持される遊技機搬送用ローラコンベア４４が設けられている。また、ベースフレーム３４上の検査位置には、コンベア支持部４４ｂとは別のコンベア支持部によって支持される遊技機検査用ローラコンベア（図示略）が設けられている。遊技機検査用ローラコンベアは、コンベア支持部を中心として回転可能になっている。この遊技機検査用ローラコンベアを作業者が回転させることにより、同遊技機検査用ローラコンベアに載置されたパチンコ機１０の前側及び後側の機能検査が行われる。
【００４１】
図１に示されるように、遊技機搬送用ローラコンベア４４及び遊技機検査用ローラコンベアには、複数の下側ローラ６１が所定間隔を隔てて回転可能に配設されている。各下側ローラ６１からなる下側ローラ６１群は、パチンコ機１０の搬送方向に沿って一直線上に配置されている。これら下側ローラ６１は、回転軸がパチンコ機１０の搬送方向に直交するように配置されている。各下側ローラ６１は、遊技機搬送機構３２にパチンコ機１０が搭載された際に、パチンコ機１０の底面１０ａに接触するようになっている。そして、各下側ローラ６１は、パチンコ機１０の搬送時に回転軸を中心として回転して同パチンコ機１０のスムーズな移動を促すようになっている。
【００４２】
一方、遊技機搬送機構３２は、搬送方向に延びるレール４７を備えている。レール４７は、図示しない支持柱を介して前記ベースフレーム３４に固定されている。レール４７の溝部には、複数の上側ローラ６２が所定間隔を隔てて回転可能に配設されている。各上側ローラ６２からなる上側ローラ６２群は、下側ローラ６１群に対して平行でかつ対向するように設けられており、パチンコ機１０の搬送方向に沿って一直線上に配置されている。各上側ローラ６２は、回転軸がパチンコ機１０の搬送方向に直交するように配置されている。そして、各上側ローラ６２は、遊技機搬送機構３２にパチンコ機１０が搭載された際に、パチンコ機１０の上面１０ｂに接触するようになっている。これにより、各上側ローラ６２がパチンコ機１０の搬送時に回転軸を中心として回転して同パチンコ機１０のスムーズな移動が促される。
【００４３】
従って、こうした遊技機搬送機構３２に搭載されたパチンコ機１０は、底面１０ａが下側ローラ６１によって支持されるとともに、上面１０ｂが上側ローラ６２によって支持される。このため、下側ローラ６１及び上側ローラ６２によってパチンコ機１０が保持された状態となる。そして、作業者がパチンコ機１０を手で押し出すことによって下側ローラ６１及び上側ローラ６２が回転すると、パチンコ機１０は、レール４７に沿って図１の矢印Ｆ１方向（即ち搬送方向）に搬送される。そして、パチンコ機１０の搬送途中で、パチンコ機１０に対する機能検査が行われる。
【００４４】
図１に示されるように、遊技機検査装置３１は、複数台の電源供給器５１を備えている。各電源供給器５１は、遊技機検査装置３１において搬送中のパチンコ機１０に常時電源を供給するために用いられている。また、遊技機検査装置３１は、電源供給器５１が移動する電源供給器用往路８１及び電源供給器用復路８２を備えている。電源供給器用往路８１及び電源供給器用復路８２は、遊技機搬送機構３２に搬送されているパチンコ機１０の上面１０ｂよりも上方位置において水平に配設されている。電源供給器用往路８１は、前記上側ローラ６２群に対して平行に設けられ、かつ上側ローラ６２群の後方側に配置されている。これにより、電源供給器用往路８１を移動する電源供給器５１がパチンコ機１０の電源プラグ２１に接続されている場合でも、電源コード２２がレール４７や上側ローラ６２に接触しにくくなる。また、電源コード２２はパチンコ機１０の裏側の電源基板付近から延びているため、電源供給器用往路８１を上側ローラ６２群の後方側に配置しておけば、電源供給器５１を電源プラグ２１に無理なく接続できる。なお、電源プラグ２１は電源コード２２の先端に設けられている。電源供給器用往路８１は、電源供給器５１がパチンコ機１０の搬送方向と同一方向に移動可能となるように電源供給器５１を案内するためのものである。電源供給器５１は、パチンコ機１０の搬送に追従して、パチンコ機１０の電源プラグ２１に接続された状態で電源供給器用往路８１に沿って移動するようになっている。また、電源供給器用復路８２は、電源供給器用往路８１に対して平行に設けられ、かつ電源供給器用往路８１よりも上方位置に配設されている。これにより、電源供給器用往路８１を移動する電源供給器５１がパチンコ機１０の電源プラグ２１に接続されている場合でも、電源コード２２が電源供給器用復路８２に接触しにくくなる。電源供給器用復路８２は、電源供給器５１がパチンコ機１０の搬送方向とは逆方向に移動可能となるように電源供給器５１を案内するためのものである。なお、電源供給器５１は、電源プラグ２１と非接続の状態で電源供給器用復路８２に沿って移動するようになっている。
【００４５】
図１，図２に示されるように、電源供給器用往路８１は、パチンコ機１０の搬送方向に沿って一直線上に延びる電源供給用レール９１を備えている。電源供給用レール９１は、図示しない往路用支持柱を介して前記ベースフレーム３４に固定されている。図２に示されるように、電源供給用レール９１は、断面コ字状をなし、搬送開始位置側、搬送終了位置側及び下方にて開放されるレール本体９４を備えている。レール本体９４の両下端部には、延出部９５がそれぞれ内方にかつ水平に延出されている。延出部９５の上面は、後述する電源供給器５１の移動ローラ５４が接触するローラ接触面９３となっている。そのため、延出部９５は、電源供給器用往路８１に沿って移動する電源供給器５１の移動ローラ５４を下方から支持するようになっている。また、レール本体９４内の上側部には、電源供給用レール９１の長手方向に沿って延びる２本の電源供給用レール側電極９２（搬送装置側電極）が設けられている。各電源供給用レール側電極９２は、絶縁部材９２ａを介して電源供給用レール９１に取り付けられている。各電源供給用レール側電極９２は、電源供給器５１などを介して搬送中のパチンコ機１０に電源を供給するためのものである。
【００４６】
図１に示されるように、前記電源供給器用復路８２の前記搬送開始位置側（終端側）には、電源供給器５１を電源供給器用復路８２から電源供給器用往路８１に受け渡す受け渡し手段８４ａが設けられている。また、電源供給器用復路８２の前記搬送終了位置側（始端側）には、電源供給器５１を電源供給器用往路８１から電源供給器用復路８２に受け渡す受け渡し手段８４ｂが設けられている。受け渡し手段８４ａ，８４ｂは、互いに略同一の構成をなしている。
【００４７】
受け渡し手段８４ａ，８４ｂは、電源供給器５１を１台ずつ搭載可能な連絡レール９６ａ，９６ｂをそれぞれ備えている。連絡レール９６ａ，９６ｂは、上下方向に沿って延びるガイドレール１００ａ，１００ｂに取り付けられており、上下動可能になっている。受け渡し手段８４ａの連絡レール９６ａは、電源供給器用復路８２の終端と電源供給器用往路８１の始端との間を往復動（昇降）するように構成され、受け渡し手段８４ｂの連絡レール９６ｂは、電源供給器用往路８１の終端と電源供給器用復路８２の始端との間を昇降するように構成されている。なお、受け渡し手段８４ａのガイドレール１００ａは、前記ベースフレーム３４において搬送開始位置側に突設された支持柱３５の上端部に設けられ、受け渡し手段８４ｂのガイドレール１００ｂは、ベースフレーム３４において搬送終了位置側に設けられた支持柱３６の上端部に設けられている。
【００４８】
図１に示されるように、支持柱３５には送出器９０ａが取り付けられている。送出器９０ａは、電源供給器用往路８１と略同一の高さに配置され、連絡レール９６ａから電源供給器用往路８１の始端に電源供給器５１を送り出すようになっている。同様に、支持柱３６には送出器９０ｂが取り付けられている。送出器９０ｂは、電源供給器用復路８２と略同一の高さに配置され、連絡レール９６ｂから電源供給器用復路８２の始端に電源供給器５１を送り出すようになっている。なお、本実施形態の送出器９０ａ，９０ｂはエアシリンダであり、ロッドを突出させて電源供給器５１を打ち出すようになっている。
【００４９】
図１，図３に示されるように、電源供給器用復路８２は、電源供給器５１を案内するための一対の案内レール８２ａを備えている。両案内レール８２ａ間には、電源供給器５１の後述する電源コード６０及び後述する電源コンセント５２が位置するようになっている。このため、電源コード６０及び電源コンセント５２の案内レール８２ａへの干渉が防止される。また、両案内レール８２ａの上端内側部には、それぞれガイド段部６５（図３参照）が形成されている。
【００５０】
また、電源供給器用復路８２は、電源供給器５１を搬送開始位置側（電源供給器用復路８２における終端側）に動力を用いて搬送する電源供給器搬送手段８３を有している。電源供給器搬送手段８３は、電源供給器５１を支持する無端状のチェーンベルト８５と、チェーンベルト８５を駆動するモータ（図示略）とを有している。チェーンベルト８５は、各案内レール８２ａの両端にそれぞれ設けられた駆動ギヤと従動ギヤとの間に巻回されており、電源供給器用復路８２に沿って配設されている。駆動ギヤは、モータによって常時駆動されるようになっている。チェーンベルト８５は、軸部８８（図３参照）を介して回転可能に配設される複数のローラ８９を備えている。なお、電源供給器５１は、後述する被支持板５５が複数のローラ８９に接触して支持された状態で、複数のローラ８９が回転駆動することにより、電源供給器用復路８２に沿って移動する。また、被支持板５５が各案内レール８２ａに設けられた両ガイド段部６５の間に案内されることにより、電源供給器用復路８２上からの電源供給器５１のズレや脱落が防止される。
【００５１】
図２〜図６に示されるように、電源供給器５１を構成する電源供給器本体６３は、電源供給器本体６３の移動方向から見て断面略コ字状をなす板状部材５７を備えている。板状部材５７の上側には、略矩形板状をなすローラ支持部５８が配置されている。ローラ支持部５８と板状部材５７との間には、略円柱状をなす案内部材６４が設けられている。案内部材６４は、電源供給器本体６３の移動方向における前端部及び後端部にそれぞれ配置されている。従って、案内部材６４の外周面が前記電源供給用レール９１の搬送開始位置側の端部に接触しても引っ掛かりにくくなるため、電源供給器５１を電源供給用レール９１内に案内しやすくなる。また、各案内部材６４の直径は、電源供給用レール９１が備える前記両延出部９５の先端同士の間隔と略同一となっている。このため、電源供給用レール９１内に案内された電源供給器５１のがたつきを防止できる。
【００５２】
また、ローラ支持部５８には、略円板状をなす４個の移動ローラ５４（移動手段）が回転可能に取り付けられている。詳述すると、ローラ支持部５８の前端部及び後端部に回転軸６７が設けられ、各回転軸６７は、電源供給器本体６３の移動方向に直交するように配置されている。そして、各回転軸６７の端部には、移動ローラ５４が１個ずつ取り付けられている。即ち、各移動ローラ５４は、電源供給器本体６３の前後左右に離間して配置されている。また、各移動ローラ５４は、電源供給器５１が前記電源供給器用往路８１に沿って移動する際に前記電源供給用レール側電極９２よりも下方位置となる箇所に設けられている（図２参照）。各移動ローラ５４は、前記パチンコ機１０の搬送時に電源供給器５１が前記遊技機搬送機構３２とは別の経路、即ち電源供給器用往路８１に沿って移動する際に、電源供給用レール９１内の前記ローラ接触面９３に支持され、その上を動作可能となる。具体的には、各移動ローラ５４が電源供給器５１の移動時に回転軸６７を中心として回転可能となるため、電源供給器５１のスムーズな移動が促される。よって、電源供給器５１は、移動ローラ５４を駆動させるためのモータなどの動力源を特に備えていなくても済む。
【００５３】
図２〜図６に示されるように、電源供給器本体６３の上側、即ち、ローラ支持部５８の上側には、電極支持部５９が一体形成されている。電極支持部５９は、回転軸６７が延びる方向（例えば、図５の上下方向）から見て略台形状をなしている（図４〜図６参照）。また、電極支持部５９には４個の電源供給器側電極５３が取り付けられている。各電源供給器側電極５３は、電源供給器本体６３の移動方向に沿って離間配置されている。詳述すると、各電源供給器側電極５３は、電極支持部５９の前側及び後側に２個ずつ配置されている。各電源供給器側電極５３は、回転軸６７が延びる方向から見て略半円状をなしている（図４，図６参照）。また、各電源供給器側電極５３は、各移動ローラ５４よりもローラ支持部５８の中心Ｃ１寄り位置に配置されている（図６参照）。さらに、各電源供給器側電極５３は、パチンコ機１０の搬送時に電源供給器５１が電源供給器用往路８１に沿って移動する際に、電源供給用レール９１が備える前記電源供給用レール側電極９２に接触可能となっている。しかも、各電源供給器側電極５３は、導電性の金属片を折り曲げた板バネ状の弾性部材であり、その一部が電極支持部５９の上面から出没可能に設けられている。よって、電源供給器側電極５３の突出部分が押圧された場合には、押圧力に抗して弾性力が作用し、電源供給用レール側電極９２に確実に接触するようになっている。なお、電源供給器側電極５３は、それ自体が弾性部材でなくてもよい。即ち、電源供給器側電極５３は、電極支持部５９内に設けられた図示しない弾性部材（板バネ、コイルバネ、ゴムなど）により電源供給用レール側電極９２側に付勢されるようになっていてもよい。これにより、各電源供給器側電極５３を、電源供給用レール側電極９２に確実に接触させることができる。そして、この状態において、外部電源（２４Ｖの交流電源）が電源供給器側電極５３を介して後述する電源コンセント５２に供給される。ゆえに、本実施形態の電源供給器５１は、バッテリなどの電源供給器内電源や、同電源供給器内電源が設置される空間を特に必要としていない。なお、各電源供給器側電極５３は、追従していたパチンコ機１０が前記搬送終了位置に至った後に、電源供給用レール側電極９２と接触不能な状態となる。
【００５４】
一方、図２〜図６に示されるように、板状部材５７の下側には、前記電源供給器搬送手段８３によって支持される被支持板５５（被支持部）が形成されている。被支持板５５は、電源供給器５１において電源供給器側電極５３及び移動ローラ５４とは別々に設けられており、略矩形板状をなしている。被支持板５５の幅（回転軸６７が延びる方向における長さ）は、板状部材５７の幅よりも広くなっている。被支持板５５の幅は、前記電源供給器搬送手段８３の前記両案内レール８２ａ間の距離（より詳しくは、前記両ガイド段部６５間の距離）と略等しくなっている。被支持板５５は、電源供給器５１が電源供給器用往路８１を移動する際には電源供給器搬送手段８３に対して接触不能となっている（図２参照）。一方、電源供給器５１が電源供給器用復路８２を移動する際には、被支持板５５は、電源供給器搬送手段８３（具体的には、前記チェーンベルト８５の前記ローラ８９）に対して接触可能となる（図３参照）。このとき、被支持板５５が電源供給器搬送手段８３によって支持された状態となるため、電源供給器５１は、電源供給器搬送手段８３に沿って搬送開始位置に移動するようになる。
【００５５】
図２〜図６に示されるように、被支持板５５の両端部、即ち、電源供給器５１の移動方向における前部及び後部には、それぞれ緩衝部材５６が配置されている。各緩衝部材５６は、電源供給器本体６３から電源供給器５１の前方及び後方に突出している。各緩衝部材５６は、ゴムなどの弾性部材によって形成されており、その先端部分は略半球状をなしている。よって、緩衝部材５６は、別の電源供給器５１との衝突時に衝撃を和らげることにより、電源供給器５１の破損を防止することができる。また、前記送出器９０ａ，９０ｂのロッドが緩衝部材５６に衝突することで電源供給器５１が打ち出されるように構成されていれば、緩衝部材５６は、他の電源供給器５１との衝突時だけでなく、送出器９０ａ，９０ｂのロッドとの衝突時であっても、衝撃を和らげることができる。即ち、遊技機検査装置３１が複数の電源供給器５１を備えていなくても、緩衝部材５６は、電源供給器５１の破損防止の役割を果たすことができる。
【００５６】
図２，図３に示されるように、電源供給器本体６３の下側、即ち、被支持板５５の下側には、中継コンセント６６が設けられている。この中継コンセント６６は、電源供給器５１の内部を通る接続線（図示略）を介して前記電源供給器側電極５３に電気的に接続されている。また、中継コンセント６６には、中継プラグ６８が差し込み可能となっている。なお、中継プラグ６８を中継コンセント６６に差し込んで回転させると、中継プラグ６８の刃部（図示略）が中継コンセント６６内に設けられた係合部（図示略）に係合することにより、中継コンセント６６からの中継プラグ６８の脱落が防止されるようになる。また、差し込まれている中継プラグ６８を逆方向に回転させれば、刃部と係合部との係合が解除されることにより、中継コンセント６６からの中継プラグ６８の引き抜きが可能となる。
【００５７】
図２，図３に示されるように、中継プラグ６８は電源コード６０の基端に接続され、電源コード６０の先端には電源コンセント５２が設けられている。即ち、電源供給器本体６３には、中継プラグ６８、電源コード６０を介して電源コンセント５２が吊り下げられている。この電源コンセント５２には、前記パチンコ機１０の前記電源プラグ２１が差し込み可能となっている。
【００５８】
次に、電源供給器５１の動作について説明する。
【００５９】
機能検査を行うためにパチンコ機１０が遊技機検査装置３１の搬送開始位置（図１において遊技機搬送機構３２の右端）に搭載されると、そのパチンコ機１０の電源プラグ２１は、作業者によって搬送開始位置にある電源供給器５１の電源コンセント５２に差し込まれる。この状態において、パチンコ機１０が搬送終了位置（図１において遊技機搬送機構３２の左端）側に搬送されると、電源供給器５１は、パチンコ機１０と連結した状態で引っ張られて、パチンコ機１０に追従して移動する。これにより、電源供給器５１は、電源供給器用往路８１に沿って移動しながらパチンコ機１０に電源を供給しうるようになる。なお、電源供給器５１が電源供給器用往路８１を移動する際には、被支持板５５は前記電源供給器搬送手段８３に対して接触不能となっている。そして、パチンコ機１０が検査位置に到達すると、電源供給器５１から供給される電源を用いて、例えば入賞時の遊技球の払い出しや、ランプの発光などが検査される。
【００６０】
機能検査の終了後、パチンコ機１０が搬送されて搬送終了位置に到達すると、作業者が電源供給器５１の電源コンセント５２から電源プラグ２１を抜き取ることにより、電源供給器５１とパチンコ機１０とが非接続の状態になる。この電源供給器５１が受け渡し手段８４ｂの連絡レール９６ｂに搭載されると、連絡レール９６ｂは上昇して電源供給器用復路８２側に移動する。そして、電源供給器５１は、送出器９０ｂによって電源供給器用復路８２の始端に送り出される。これにより、電源供給器５１の被支持板５５が、電源供給器用復路８２の有する電源供給器搬送手段８３により支持されるようになる。なお、電源供給器５１は、電源プラグ２１と非接続の状態で電源供給器用復路８２に沿って移動するようになっている。さらに、電源供給器５１が電源供給器搬送手段８３により搬送開始位置側に至った後、電源供給器５１が受け渡し手段８４ａの連絡レール９６ａに搭載されると、連絡レール９６ａは下降して電源供給器用往路８１側に移動する。そして、電源供給器５１は、送出器９０ａによって電源供給器用往路８１の始端に送り出される。従って、本実施形態では、電源供給器用往路８１、電源供給器用復路８２、受け渡し手段８４ａ，８４ｂにより、電源供給器５１が一方向に循環移動するようになる。これにより、電源供給器５１が繰り返し使用可能となる。
【００６１】
従って、本実施形態によれば以下のような効果を得ることができる。
【００６２】
（１）本実施形態の電源供給器５１では、電源コンセント５２がパチンコ機１０の電源プラグ２１と接続され、この状態で移動ローラ５４が回転することにより、電源供給器５１がパチンコ機１０に追従して移動する。このため、パチンコ機１０に電源を供給する機能を遊技機搬送機構３２が備えていなくても、搬送中のパチンコ機１０に対して電源の供給が常時可能となる。
【００６３】
また、本実施形態の電源供給器５１は、遊技機搬送機構３２とは別の経路（具体的には、電源供給器用往路８１及び電源供給器用復路８２）を移動するものであって、製造作業台としての用途を元来意図している訳ではない。しかも、電源供給器５１は、移動ローラ５４、電源供給器側電極５３、電源コンセント５２といった構成を備える一方で、パチンコ機１０を搭載するための構成を必ずしも必要としない。そのため、製造作業台が電源供給器５１の機構を兼ね備えた特許文献１に記載の従来技術と比較して構成が単純になるため、電源供給器５１を小型かつ軽量にすることができる。ゆえに、電源供給器５１の取り扱い（保管や移動など）が非常に簡便となる。
【００６４】
さらに、バッテリなどの電源供給器内電源を設置する空間を電源供給器５１内に設けなくても済む。その結果、バッテリの配置を考慮しながら設計を行う必要がなくなるため、電源供給器５１を容易に製造することができ、電源供給器５１の低コスト化を図ることができる。しかも、電源供給器５１自身の内部に電源を備えていると、途中で電源が切れてしまい、メインテナンス（バッテリの交換）が必要になることがあるが、本実施形態によれば、これらの問題も解消される。
【００６５】
（２）本実施形態の遊技機検査装置３１は、遊技機搬送機構３２とは別に電源供給器５１を備えている。このため、遊技機搬送機構３２は、パチンコ機１０に電源を供給する機能を特に備えていなくても済む。よって、遊技機搬送機構３２に、例えばベルトコンベアなどの周知のものを用いることができる。
【００６６】
（３）本実施形態では、電源供給器５１の中継コンセント６６の下側に、中継プラグ６８及び電源コード６０を介して電源コンセント５２が吊り下げられている。このため、例えば電源コンセント５２が電源供給器５１に固定される場合に比べ、電源コンセント５２と遊技機搬送機構３２に搬送されるパチンコ機１０との間の距離が短くなる。よって、延長コードなどを介在させたりしなくても、電源コンセント５２とパチンコ機１０側の電源プラグ２１との接続が可能となる。
【００６７】
また、電源コンセント５２が電源コード６０なしで設けられる場合に比べ、電源供給器５１とパチンコ機１０との接続部分（中継プラグ６８、電源コード６０、電源コンセント５２、電源プラグ２１及び電源コード２２からなる部分）が長くなる。これにより、例えば、遊技機検査用ローラコンベア上に搬送されてきたパチンコ機１０を回転させたとしても、電源コード２２が引っ張られにくくなるため、電源プラグ２１が電源供給器５１側の電源コンセント５２から脱落しにくくなる。
【００６８】
（４）本実施形態では、電源供給器本体６３は、断面略コ字状をなす板状部材５７を備えている。このため、電源供給器５１内を通る配線（例えば、中継コンセント６６と電源供給器側電極５３とを接続する接続線）を収容するためのスペースを、板状部材５７内に確保することができる。
【００６９】
（５）本実施形態では、各電源供給器側電極５３が、各移動ローラ５４よりもローラ支持部５８の中心Ｃ１寄り位置に配置されている。このため、電源供給器５１が、電源供給器本体６３の移動方向における前側に配置された移動ローラ５４を支点として傾いたとしても、各電源供給器側電極５３を後側の移動ローラ５４寄り位置に設ける場合に比べて、各電源供給器側電極５３の移動量は少なくなる。また、電源供給器５１が後側の移動ローラ５４を支点として傾いたとしても、各電源供給器側電極５３を前側の移動ローラ５４寄り位置に設ける場合に比べて、各電源供給器側電極５３の移動量は少なくなる。よって、電源供給器５１の傾斜度合いに左右されにくくなるため、電源供給器側電極５３と電源供給用レール側電極９２との接触状態を維持させやすくなる。
【００７０】
なお、本発明の実施形態は以下のように変更してもよい。
【００７１】
・上記実施形態において、電源供給器５１は被支持板５５を備え、被支持板５５は、追従していたパチンコ機１０が搬送終了位置に至った後に、電源供給器搬送手段８３により支持されるようになっていた。
【００７２】
しかし、図７，図８に示されるように、被支持板５５を基部５５ａに変更するとともに、移動ローラ５４とは異なる第２の移動ローラ１１１（第２の移動手段）を電源供給器５１に設けてもよい。この場合、ローラ支持部５８の上側に第２のローラ支持部１１２が形成され、第２の移動ローラ１１１は第２のローラ支持部１１２に設けられる。両ローラ支持部５８，１１２間には、案内部材６４と同じ構成をなす第２の案内部材１１３が設けられる。また、各電源供給器側電極５３は、第２のローラ支持部１１２に取り付けられる。
【００７３】
さらに、図７に示されるように、電源供給器用往路８１は、上記実施形態の電源供給用レール９１よりもやや縦長の断面略コ字状をなす往路レール１０２を備えている。往路レール１０２は、２つのローラ支持部５８，１１２を収容可能となっている。一方、図８に示されるように、電源供給器用復路８２は、電源供給器搬送手段８３の代わりに、往路レール１０２と略同一の構成をなすレール本体１０４及び延出部１０５を備えた復路レール１０１を備えている。延出部１０５の上面は、電源供給器５１の第２の移動ローラ１１１が接触するローラ接触面１０６となっている。そのため、延出部１０５は、電源供給器用復路８２に沿って移動する電源供給器５１を下方から支持するようになっている。なお、電源供給用レール側電極９２は、往路レール１０２内には設けられるが、復路レール１０１内には設けられていない。
【００７４】
このようにすれば、電源供給器５１は、電源供給器側電極５３が電源供給用レール側電極９２に接触した状態で移動ローラ５４が動作することにより搬送開始位置に移動するのではなく、電源供給器側電極５３が電源供給用レール側電極９２に接触不能な状態で第２の移動ローラ１１１が動作することにより搬送開始位置に移動する。このため、搬送開始位置への移動時において、電源供給器側電極５３、電源供給用レール側電極９２及び移動ローラ５４が磨耗することはない。ゆえに、頻繁なメインテナンスが不要となり、電源供給器５１のランニングコストの低減を図ることができる。また、電源供給器用往路８１に往路レール１０２が用いられ、電源供給器用復路８２に往路レール１０２と略同一の構成をなす復路レール１０１が用いられるため、電源供給器５１が移動するレールは１種類で済む。つまり、部品の兼用化によって、遊技機検査装置３１を低コストで構成することができる。
【００７５】
なお、復路レール１０１は、電源供給器用復路８２の始端側から終端側に行くに従って徐々に低くなるように傾斜していることが好ましい。このようにすれば、受け渡し手段８４ｂを介して電源供給器用復路８２に導かれた電源供給器５１は、重力の作用により電源供給器用復路８２に沿って搬送開始位置側（電源供給器用復路８２の終端）に向かって自走する。このため、電源供給器５１を人手によって移動させたりしなくても済む。よって、電源供給器５１を電源供給器用復路８２の終端側に戻す作業を効率よく行うことができる。また、本実施形態によれば、モータなどのような駆動力を与える機構がなくても、電源供給器５１を電源供給器用復路８２の終端側に戻すことができる。従って、電源供給器５１を電源供給器用復路８２の終端側に戻す作業を低コストで実現することができる。
【００７６】
・上記実施形態では、電源コンセント５２は、中継プラグ６８、電源コード６０を介して電源供給器本体６３に吊り下げられていた。しかし、例えば図７，図８に示されるように、電源コンセント５２は、伸縮固定自在なコード部材１１４により電源供給器本体６３に接続されていてもよい。なお、電源供給器本体６３は、コード部材１１４の長さを調節するコード部材調節機構（図示略）を備えている。前記コード部材調節機構としては、例えば、自動的にコード部材１１４を巻き取るコード部材巻き取り機構（図示略）などが挙げられる。このコード部材巻き取り機構は、コード部材１１４を任意の長さで固定可能な固定手段（図示略）を備えている。また、コード部材巻き取り機構は、固定手段によって固定されたコード部材１１４を解除可能とする固定解除機構（図示略）を備えている。この固定解除機構によりコード部材１１４の固定が解除されると、前記コード部材巻き取り機構により自動的にコード部材１１４が巻き取られるようになる。
【００７７】
このようにすれば、パチンコ機１０の電源プラグ２１の位置、パチンコ機１０から延びる電源コード２２の長さ、パチンコ機１０と電源供給器５１との位置関係などを考慮して、電源供給器５１のコード部材１１４の長さを調整して固定することができる。これにより、電源コンセント５２を最適な位置に配置することができる。よって、例えば、パチンコ機１０と電源供給器５１とが互いに離れていたり、パチンコ機１０の種類によって電源コード２２の長さが異なっていたりしても、電源コンセント５２に電源プラグ２１を差し込んで電源供給器５１とパチンコ機１０とを連結することが容易になる。ゆえに、コード部材１１４が長すぎることにより、電源供給器５１がパチンコ機１０に追従するまでに時間が掛かってしまうことはない。また、コード部材１１４の余剰部分が遊技機搬送機構３２に引っ掛かるなどして邪魔になることはない。
【００７８】
・上記実施形態では、電源供給器５１の移動方向における前部及び後部に、それぞれ緩衝部材５６が配置されていた。しかし、電源供給器５１の前部のみまたは後部のみに、緩衝部材５６が配置されていてもよい。
【００７９】
・上記実施形態では、電源供給器５１を移動させる構成を、パチンコ機１０を保持して搬送する遊技機搬送機構３２を備えた遊技機検査装置３１（遊技機用搬送装置）に適用していた。しかし、電源供給器５１を移動させる構成を、遊技盤を保持して搬送する遊技盤搬送機構を備えた遊技盤用搬送装置に適用してもよい。この場合、遊技盤用搬送装置の構成は遊技機検査装置３１の構成と基本的に同一でよいが、下側ローラ６１群と上側ローラ６２群との離間距離は、遊技盤を挟持できる程度の長さに合わせて短めに設定される。
【００８０】
次に、特許請求の範囲に記載された技術的思想のほかに、前述した実施形態によって把握される技術的思想を以下に列挙する。
【００８１】
（１）請求項１乃至７のいずれか１項において、前記電源供給器側電極は、前記電源供給器本体から出没可能に設けられており、前記電源供給器本体内に設けられた弾性部材により前記搬送装置側電極側に付勢されること。このようにすれば、電源供給器側電極を搬送装置側電極に確実に接触させることができる。
【００８２】
（２）請求項１乃至７のいずれか１項において、前記電源供給器側電極は前記電源供給器本体の上側に配置され、前記電源コンセントは前記電源供給器本体の下側に配置されること。このようにすれば、電源コンセントと電源供給器側電極との接触を防止できる。
【００８３】
（３）請求項１乃至７のいずれか１項において、前記電源供給器側電極は前記電源供給器本体に複数設けられており、前記各電源供給器側電極は前記電源供給器本体の移動方向に沿って離間配置されること。このようにすれば、移動時に電源供給器が引っ張られて傾いたとしても、電源供給器側電極を搬送装置側電極に確実に接触させることができる。
【００８４】
（４）請求項１乃至７のいずれか１項において、前記移動手段は、前記電源供給器本体に形成されたローラ支持部に対して回転可能に取り付けられた複数の移動ローラであり、前記各移動ローラは、前記電源供給器本体の前後左右に離間して配置されること。このようにすれば、電源供給器が安定するため、電源供給器が引っ張られたときに傾きにくくなる。
【００８５】
（５）技術的思想（４）において、前記電源供給器側電極は、前記各移動ローラよりも前記ローラ支持部の中心寄り位置に配置されること。このようにすれば、電源供給器の移動時に、電源供給器側電極と搬送装置側電極との接触状態を維持させやすくなる。
【００８６】
（６）請求項１乃至６のいずれか１項において、前記遊技機用搬送装置に、下方にて開放される断面略コ字状をなすレール本体と、前記レール本体の両下端部からそれぞれ内方にかつ水平に延出される延出部とから構成された電源供給用レールが設けられるとともに、前記電源供給器本体の移動方向における端部に略円柱状をなす案内部材が設けられ、前記案内部材の直径は、前記両延出部の先端同士の間隔と略同一となっていること。このようにすれば、案内部材が略円柱状をなしているため、電源供給器を電源供給用レール内に案内しやすくなる。また、案内部材の直径が両延出部の先端同士の間隔と略同一となっているため、電源供給用レール内に案内された電源供給器のがたつきを防止できる。
【００８７】
（７）請求項１乃至７のいずれか１項において、前記電源供給器本体は、断面略コ字状をなす板状部材を備えること。
【００８８】
（８）請求項１乃至７のいずれか１項において、電源供給器内電源と、前記移動手段を駆動させるための動力源とを備えていないこと。
【００８９】
（９）請求項１乃至７のいずれか１項において、前記移動手段は、前記搬送装置側電極よりも下方位置に設けられること。このようにすれば、移動手段の磨耗により生じる塵埃が、搬送装置側電極に落下することがない。
【００９０】
（１０）請求項１または２において、前記電源供給器が前記搬送終了位置に移動する電源供給器用往路に、下方にて開放される断面略コ字状をなすレール本体と、前記レール本体の両下端部からそれぞれ内方にかつ水平に延出される延出部とから構成された往路レールが用いられ、前記電源供給器が前記搬送開始位置に移動する電源供給器用復路に、前記往路レールと同じ構成をなす前記レール本体及び前記延出部を備えた復路レールが用いられるとともに、前記往路レール及び前記復路レールは前記遊技機搬送機構の上方に配置され、前記搬送装置側電極は、前記往路レール内に設けられる一方、前記復路レール内には設けられないこと。
【００９１】
（１１）請求項３において、前記遊技機用搬送装置は、前記電源供給器が前記搬送終了位置に移動する電源供給器用往路と、前記電源供給器が前記搬送開始位置に移動する電源供給器用復路とを備え、前記被支持部は、前記電源供給器が前記電源供給器用往路を移動する際に前記電源供給器搬送手段に対して接触不能となること。
【００９２】
（１２）請求項４において、前記遊技機用搬送装置は、前記電源供給器が前記搬送終了位置に移動する電源供給器用往路と、前記電源供給器が前記搬送開始位置に移動する電源供給器用復路とを備え、前記第２の移動手段は、前記電源供給器が前記電源供給器用往路を移動する際に前記電源供給器用復路に対して接触不能となること。
【００９３】
（１３）遊技機を保持して搬送開始位置から搬送終了位置まで搬送する遊技機搬送機構と、前記搬送開始位置から前記搬送終了位置までの間の少なくとも検査位置にある遊技機に電源を供給する搬送装置側電極とを備えた遊技機用搬送装置に用いられる電源供給器であって、電源供給器本体と、前記電源供給器本体に設けられるとともに、前記遊技機の搬送時に動作することで前記電源供給器を前記遊技機に追従して移動可能にする移動手段と、前記搬送装置側電極に接触可能な電源供給器側電極と、前記電源供給器側電極に電気的に接続され、前記遊技機の電源プラグを差し込み可能な電源コンセントとを備えることを特徴とする電源供給器。
【００９４】
（１４）遊技機を保持して搬送開始位置から搬送終了位置まで搬送する遊技機搬送機構と、前記搬送開始位置から前記搬送終了位置までの間の少なくとも検査位置にある遊技機に電源を供給する搬送装置側電極とを備えた遊技機用搬送装置に用いられる電源供給器であって、電源供給器本体と、前記電源供給器本体に設けられるとともに、前記遊技機の搬送時に動作することで前記電源供給器を前記遊技機に追従して移動可能にする移動手段と、前記搬送装置側電極に接触可能な電源供給器側電極と、前記電源供給器側電極に電気的に接続され、前記遊技機の電源プラグを差し込み可能な電源コンセントとを備え、前記電源プラグが前記電源コンセントに差し込まれ、前記電源供給器側電極が前記搬送装置側電極に接触するとともに、前記移動手段が動作した状態で、前記遊技機を追従することを特徴とする電源供給器。
【図面の簡単な説明】
【００９５】
【図１】本実施形態の遊技機検査装置を示す正面図。
【図２】電源供給器用往路を移動する電源供給器を示す図。
【図３】電源供給器用復路を移動する電源供給器を示す図。
【図４】電源供給器を示す斜視図。
【図５】電源供給器を示す上面図。
【図６】電源供給器を示す側面図。
【図７】他の実施形態において電源供給器用往路を移動する電源供給器を示す図。
【図８】他の実施形態において電源供給器用復路を移動する電源供給器を示す説明図。
【符号の説明】
【００９６】
１０…遊技機としてのパチンコ機
２１…電源プラグ
３１…遊技機用搬送装置としての遊技機検査装置
３２…遊技機搬送機構
５１…電源供給器
５２…電源コンセント
５３…電源供給器側電極
５４…移動手段としての移動ローラ
５５…被支持部としての被支持板
５６…緩衝部材
６３…電源供給器本体
８３…電源供給器搬送手段
９２…搬送装置側電極としての電源供給用レール側電極
１１１…第２の移動手段としての第２の移動ローラ
１１４…コード部材
【図１】
2006055203.tif 000003
【図２】
2006055203.tif 000004
【図３】
2006055203.tif 000005
【図４】
2006055203.tif 000006
【図５】
2006055203.tif 000007
【図６】
2006055203.tif 000008
【図７】
2006055203.tif 000009
【図８】
2006055203.tif 000010